(57)【特許請求の範囲】
【請求項１】
複数の焦点検出点のそれぞれについて焦点検出を可能とする焦点検出手段と、複数の発光体から成り、焦点検出時に用いられる補助光手段とを備えたカメラにおいて、前記複数の発光体の数を前記複数の焦点検出点の数より少なくし、前記複数の発光体をレンズの左右に振り分けて配置し、中央の焦点検出点に対しては前記レンズの左側の発光体と右側の発光体のいずれからも照明可能にしたことを特徴とするカメラ。
【発明の詳細な説明】
【０００１】
【発明の属する技術分野】
本発明は、複数の焦点検出点のそれぞれについて焦点検出を可能とするカメラの改良に関するものである。
【０００２】
【従来の技術】
従来より、画面内に複数の焦点検出点を有するカメラは知られているが、この種のカメラにおける、いわゆる多点対応のオートフォーカス用補助光（以下、ＡＦ補助光とも記す）を発する光源として、到達距離を稼ぐ為に複数のＬＥＤを用いる場合があり、焦点検出時は焦点検出点に関係なく同時に点灯させていた。
【０００３】
また、カメラに内蔵の補助光部は、レンズ中心（光軸）に対してどちらか片方の１箇所に配置されている場合が多い。
【０００４】
【発明が解決しようとする課題】
上記従来例においては、前述した様に焦点検出時には焦点検出点に関係なく同時に点灯させていた為、焦点検出を行わない部分のＡＦ補助光は無駄になってしまっていた。
【０００５】
また、カメラに内蔵の補助光部はレンズ中心に対してどちらか片方に配置されていた為、全ての焦点検出点について焦点検出を行う場合は、補助光部を配置した反対側に位置する焦点検出点に対するＡＦ補助光が、レンズ鏡筒やレンズフードでけられてしまう場合があった。
【０００６】
また、以下に別の課題について説明する。
【０００７】
従来のオートフォーカス機能を具備した一眼レフカメラの場合、様々な撮影シーンに対応するためにオートフォーカスモードとマニュアルフォーカスモードとの切り換えが可能なものが一般的である。
【０００８】
この切り換え操作は、電気スイッチにより電気回路のソフト的処理でオートフォーカス動作を禁止する場合と、切り換え操作に連動して機械的にもレンズ駆動用アクチュエータと被駆動部のフォーカシングリング部との連結を寸断してしまう場合とが考えられる。
【０００９】
前者の場合は、マニュアルフォーカスモードもカメラの電気回路の支配下にあり、ユーザーがマニュアルフォーカスモードにセットしていても、カメラがある条件のもとでオートフォーカスモードに自動的に復帰させる事が可能である。
【００１０】
例えばユーザーがマニュアルフォーカスモードにしたまま電源をＯＦＦしても、次の撮影時に電源ＯＮのタイミングで常にオートフォーカスモードにしてしまうことも考えられる。
【００１１】
後者の場合は、マニュアルフォーカスモードから自動的にオートフォーカスモードにセットすることが不可能である。しかしカメラの動作そのものは前述のオートフォーカスモードとマニュアルフォーカスモードの２モードに関らず通常のレリーズ動作が可能であるため、ユーザーがもしマニュアルフォーカスモードであることに気がつかないまま撮影した場合、次のような支障をきたす。
【００１２】
第一に、レンズが合焦動作を行わないためにカメラが故障をしたと思ってしまう。第二に、合焦確認をしなかった場合はピントボケの写真になってしまう。
【００１３】
この問題の解決のために従来は、カメラがマニュアルフォーカスモードである事を示す何らかの警告表示を行っているものがある。
【００１４】
以下に、外部表示においてマニュアルフォーカスモードを意味する表示マークを点灯している従来例を説明する。
【００１５】
図１８は従来例のストロボを内蔵した一眼レフカメラの上面図である。ここではオートフォーカスモードとマニュアルフォーカスモードの切り換え操作は、レンズに設けられた切換えスイッチで行われる。またこの切換えスイッチは両モードの切り換えと同時に機械的にもレンズ駆動用アクチュエータと被駆動部であるフォーカシングリング部との連結を寸断してしまうものである。
【００１６】
３２８はオートフォーカスモードとマニュアルフォーカスモードの切り換えを行う切換えスイッチであり、ここではオートフォーカスモードにセットされている。３２９はカメラの電源スイッチを兼ねる撮影モードダイアルであり、ここでは電源ＯＦＦのポジションにセットされている。また、該撮影モードダイアル３２９を操作することにより、ユーザーの所望の撮影モードにセットすることができる。
【００１７】
３０６は外部液晶表示器であり、電源ＯＦＦの状態での表示内容を示している。３１０はフィルム在否表示部で、ここではフィルムが装填されていることを示している。３１１はフィルムカウンタ表示部で、これから１枚目の撮影が可能であることを示している。
【００１８】
３３０は内蔵されているストロボであり、使用時には収納待機位置から発光位置に発光部を移動することができる。３３１はカメラの様々な設定値もしくは状態をセットする操作ダイアルである。３３２はレリーズ釦であり、通常はこの第１ストロークにより測光と合焦動作が開始し、第２ストロークにより露光動作が開始する。
【００１９】
図１９は上記外部液晶表示器３０６の拡大図である。
【００２０】
図１９（ａ）は撮影モードダイアル３２９をカメラの電源ＯＦＦのポジションからＴＶ優先モードにセットした状態で、かつカメラの様々な機能を設定した状態を表示している。
【００２１】
同図において、３１０はフィルム在否表示部で、ここではフィルムが装填されていることを示している。３１１はフィルムカウンタ表示部で、ここでは１枚目であることを示している。３０８は設定したシャッタ秒時（ＴＶ値）を示す７セグメント表示部で、ここでは「１／１２５」秒にセットされている。３０９は電池の残量表示部で、ここでは充分な電池能力があることが示されている。３３３は測光モード表示部で、ここでは多分割測光による評価測光のモードにセットされている。３３４は給送モード表示部で、ここでは連写モードにセットされている。３３５は赤目現象緩和機能表示部で、カメラに内蔵されているストロボの使用時に赤目現象緩和装置が機能するようにセットされている。３３６はブザーモード表示部で、ここではブザー音が発生するモードにセットされている。
【００２２】
３３７はカスタム機能表示部である。前記カスタム機能とは、カメラの製品出荷時の初期状態に対してユーザーが自由に様々な機能を設定できるもので、ここではこのカスタム機能がセットされていることを示している。３１２は露出補正表示で、ここでは露出補正をかけていない事を示している。
【００２３】
図１９（ｂ）はレリーズ釦３３２を第１ストロークまで押した状態である。
【００２４】
この際、カメラは測光を開始しかつ合焦動作を開始するが、外部液晶表示器３０６にはまず測光結果が表示される。３１８は測光結果による適正絞り値を示す７セグメントでここでは「 5.6」を示している。
【００２５】
この状態はレリーズ釦３３２を第１ストロークまで押した状態を保持している間及びレリーズ釦３３２が戻っても所定タイマ中は保持されるが、所定タイマ後はまた図１９（ａ）の状態に戻る。
【００２６】
図１９（ｃ）は、前記切換えスイッチ３２８により、マニュアルフォーカスモードにセットした状態で、電源がＯＮのときの表示である。
【００２７】
３３８はマニュアルフォーカスモードであることを示す表示部で、電源ＯＮの状態で点灯している。他の表示はオートフォーカスモード時と変らない。
【００２８】
図１９（ｄ）はレリーズ釦３３２を第１ストロークまで押した状態である。
【００２９】
３１８は測光結果による適正絞り値を示す７セグメント表示部で、ここでは「 5.6」を示している。この時、ユーザーに更なる注意を喚起するためにマニュアルフォーカスモード表示部３３８が点滅するようになっている。
【００３０】
この状態はレリーズ釦３３２を第１ストロークまで押した状態を保持している間及びレリーズ釦３３２が戻っても所定タイマ中は保持されるが、所定タイマ後はまた図１９（ｃ）の状態に戻る。
【００３１】
上記の従来例では、以下の様な問題点を有していた。
【００３２】
ファインダ内表示については示していないが、ファインダ内にはマニュアルフォーカスモード表示は無い。従って、カメラがマニュアルフォーカスモードであるかどうかをユーザーが知るには、外部表示（外部液晶表示器３０６）を見るか、レンズ側に設けられた切換えスイッチ３２８の位置を確認するしかなかった。つまり、前述の従来例のように、外部液晶表示器３０６にマニュアルフォーカスモード表示を行っても、通常は外部液晶表示器３０６内には他の様々な撮影情報表示がありそれらと混在しているため、ユーザーによっては非常に気が付きにくく確認しづらいものであった。
【００３３】
さらに、ユーザーに注意を喚起するためにこの表示を点滅させていても、表示内容が周辺の撮影情報と関連づけられていないので内容を確認しにくい。
【００３４】
また特に初心者の場合、外部表示など気にせずに撮影してしまう場合が多く、前述のようにカメラが故障をしたと思ってしまったり、ピントボケの写真になってしまったりという事故が相変わらず生じ易い。
【００３５】
たとえ初心者でなくても、前回の撮影時のマニュアルフォーカスモードにセットしたまま、次回撮影時に外部表示を確認するモード変更なども行わずそのまま撮影動作に入ってしまうこともある。このときカメラを構えていきなりファインダを覗いてしまうとファインダ内にマニュアルフォーカスモード表示がないため、カメラが今マニュアルフォーカスモードであることに気が付きようがない。よって、同様にカメラが故障をしたと思ってしまったり、ピントボケの写真になってしまったりという事故が生じてしまう事があった。
【００３９】
（発明の目的）本発明の目的は、レンズ鏡筒やレンズフードで補助光がけられてしまうといった事を無くすことのできるカメラを提供することにある。
【００４１】
【課題を解決するための手段】
上記目的を達成するために、本発明は、複数の焦点検出点のそれぞれについて焦点検出を可能とする焦点検出手段と、複数の発光体から成り、焦点検出時に用いられる補助光手段とを備えたカメラにおいて、前記複数の発光体の数を前記複数の焦点検出点の数より少なくし、前記複数の発光体をレンズの左右に振り分けて配置し、中央の焦点検出点に対しては前記レンズの左側の発光体と右側の発光体のいずれからも照明可能にしたことを特徴とするものである。
【００４６】
【発明の実施の形態】
以下、本発明を図示の実施の形態に基づいて詳細に説明する。
【００４７】
以下の実施の第１の形態においては、焦点検出点の数と同数のＡＦ補助光用ランプがあるものとし、図５の概念図により、この実施の形態で用いるＡＦ補助光について説明する。
【００４８】
焦点検出点としては、３点、つまり左の焦点検出点６３，中央の焦点検出点６４，右の焦点検出点６５を有しており、これらの焦点検出点に対応してＡＦ補助光用のランプ６０，６１，６２が備わっていて、ここで発せられた補助光はレンズ６６により各焦点検出点に対応した部分に結像される。
【００４９】
また、図６（ａ）に、左の焦点検出点６３の方向が左の補助光用ランプ６０により照らされている様子を、図６（ｂ）に、中央の焦点検出点６４の方向が中央の補助光用ランプ６１により照らされている様子を、図６（ｃ）は、右の焦点検出点６５の方向が右の補助光用ランプ６２により照らされている様子を、それぞれ示している。
【００５０】
次に、本発明の実施の第１の形態に係るカメラの回路構成を、図２に示すブロック図により説明する。
【００５１】
同図において、１はカメラの各部の動きを制御するためのマイクロコンピュータである。２は後述のレンズ１３の焦点調節用モータと不図示の絞り羽根制御用モータを駆動制御するレンズ制御回路である。このレンズ制御回路２は、前記マイクロコンピュータ１からＬＣＯＭ信号を受けている間、データバスＤＢＵＳを介してシリアル通信を行う。そして、シリアル通信によりモータ駆動情報を受け取ると、その情報によりモータを駆動制御する。また、同時に撮影レンズの各種の情報（焦点距離等）をシリアル通信によりマイクロコンピュータ１に送る。
【００５２】
３はカメラのバッテリー残量や撮影枚数を撮影者に知らせる為の液晶表示器１１，１２を駆動する液晶表示回路である。この液晶表示回路３は、マイクロコンピュータ１からＤＰＣＯＭ信号を受けている間、データバスＤＢＵＳを介しシリアル通信を行う。そして、シリアル通信により表示データを受け取ると、そのデータに従って液晶表示器１１，１２を駆動する。
【００５３】
４は、撮影者が各撮影条件を設定する為のスイッチや、カメラの状態を示すスイッチの状態を読み取り、マイクロコンピュータ１に送るスイッチセンス回路であり、ＳＷＣＯＭ信号を受けている間、データバスＤＢＵＳを介しシリアル通信によりマイクロコンピュータ１にスイッチデータを送る。
【００５４】
５はストロボの発光とＴＴＬ調光による発光停止機能を制御するストロボ発光調光制御回路である。このストロボ発光調光制御回路５は、ＳＲＣＯＭ信号を受けている間、データバスＤＢＵＳを介しマイクロコンピュータ１とシリアル通信を行い、ストロボ制御に関するデータを受け取り各種の制御を行う。また、この回路は、外付けストロボ装置がカメラに装着された場合のインターフェースの働きも行う。よって、外付けストロボ装置が装着された場合は、該外付けストロボ装置と通信を行い、その情報（補助光が有るか無いか等）をマイクロコンピュータ１に送る。逆に、マイクロコンピュータ１からの制御信号を外付けストロボ装置に伝える役割も持つ。
【００５５】
６は焦点検出回路であり、既存の位相差検出方式によりＡＦを行うためのラインセンサと、その蓄積読み出しの為の回路ユニットになったもので、マイクロコンピュータ１により制御を行う。マイクロコンピュータ１は、センサ出力のＡ／Ｄ値を基に既存のアルゴリズムで焦点検出を行い、レンズ駆動量を演算した後に合焦するようにレンズ制御回路２に演算で求めたレンズ駆動量を通信し、レンズを駆動して合焦させる。また、内蔵補助光が必要な場合は、焦点検出回路６で蓄積開始をする直前に、内蔵補助光駆動回路１５より内蔵補助光を点灯させ、蓄積後に内蔵補助光を消灯させ、読み出し演算を行う。
【００５６】
また、本実施の形態では、複数対のラインセンサを持ち、焦点検出回路６はラインセンサを選択してファインダの複数箇所（図５に示した様に、左，中央，右の３点の焦点検出ポイントを有している）の焦点検出が可能である。焦点検出点の選択は、後述のスイッチＳＷ４と電子ダイアル１０で設定する。
【００５７】
７は測光回路であり、被写体の測光を行い、マイクロコンピュータ１の制御により測光出力を該マイクロコンピュータ１に送る。マイクロコンピュータ１は送られた測光出力をＡ／Ｄ変換し、露出条件（ＡＶ値，ＴＶ値）の演算に用いる。８はシャッタ制御回路であり、マイクロコンピュータ１の制御信号に従って、不図示のシャッタ先幕及び後幕の走行制御を行う。９はモータ制御回路であり、マイクロコンピュータ１からの制御信号に従って、フィルムの給送（巻上げ，巻戻し）を行う。また、該モータ制御回路９は、ミラーアップ／チャージ（ミラーダウン）用モータの制御も行う。
【００５８】
ＳＷ１はカメラの撮影準備動作を開始させる為のスイッチであり、該スイッチＳＷ１がＯＮされたことをマイクロコンピュータ１が認識すると、測光動作，測距動作及び各種の表示をスタートさせる。ＳＷ２はカメラのレリーズ釦と連動したスイッチであり、該スイッチＳＷ２がＯＮされたことをマイクロコンピュータ１が認識すると、露光動作をスタートさせる。Ｘ接点はシャッタの先幕の走行完のタイミングでＯＮし、ストロボ発光のタイミングをストロボ発光調光制御回路５に知らせる役目をする。ＳＷ３はカメラのモード（ＴＶ優先，ＡＶ優先，マニアル，プログラム等）を切り換える為のモード変更スイッチである。
【００５９】
１０はＴＶ値，ＡＶ値，モード等を変更する為の電子ダイアルであり、例えばモード変更スイッチＳＷ３を押しながら該電子ダイアル１０を回転させると、ＴＶ優先→ＡＶ優先→マニアル→プログラム→ＴＶ優先→ＡＶ優先→マニアル→プログラム‥‥と変更され、撮影者の意図するＡＥモードに設定することができる。また、電子ダイアル１０を逆回転させた時は、プログラム→マニアル→ＡＶ優先→ＴＶ優先→プログラム→‥‥とＡＥモードは変更される。
【００６０】
また、モード変更スイッチＳＷ３と電子ダイアル１０によりＴＶ優先がモードとして設定されている場合には、電子ダイアル１０を回転させることにより撮影者の希望とするＴＶ値を設定することができる。また、モード変更スイッチＳＷ３と電子ダイアル１０によりＡＶ優先がモードとして設定されている場合には、電子ダイアル１０を回転させることにより撮影者の希望とするＡＶ値を設定することができる。
【００６１】
１１は外部液晶表示器であり、液晶表示回路３によって駆動される。１２はファインダ内液晶表示器であり、同じく液晶表示回路３によって駆動される。１３は交換可能な撮影レンズであり、前述した様にレンズ制御回路２を通して制御される。１４は、カメラとは別の電源を持つ外付けストロボ装置であり、前述した様にストロボ発光調光制御回路５を通して制御される。１５は内蔵補助光駆動回路であり、カメラに内蔵された、図５のＡＦ補助光を駆動する回路である。また、該内蔵補助光駆動回路５は、マイクロコンピュータ１の命令によって複数あるＡＦ補助光ランプ（図５に示した様に、左，中央，右の３点の焦点検出ポイントに対応して３個具備している）を自由に選択点灯可能である。
【００６２】
１６は眼の像を取り込む為のＣＣＤ１７とＰ像（プルキニエ像）用のＩＲＥＤ１８を駆動する視線検出回路であり、ここで得られる視線検出情報はマイクロコンピュータ１へ転送する。マイクロコンピュータ１はこの視線検出情報が入力されると該情報Ａ／Ｄ変換し、特開平４−３４７１３１号等にて開示されている公知の視線検出手法に基づいて、撮影者の眼がファインダ内のどこを見ているかの検出を行う。また、この視線位置情報により、焦点検出点の任意選択が可能なモードを持っている。
【００６３】
１７は前出の視線検出用のＣＣＤ、１８は同じく前出の視線検出用のＩＲＥＤ、ＳＷ４は焦点検出点選択スイッチであり、該スイッチＳＷ４を押しながら電子ダイアル１０を回転させると、自動選択→右→中央→左→自動選択……という様に、焦点検出点の選択が可能となる。
【００６４】
次に、図３のフローチャートを用いて簡単にカメラの一連の動作について説明する。
【００６５】
カメラの何れかのスイッチが押された等の要因により該カメラに電源が入ると、ステップ３１より動作を開始する。
［ステップ３１］  スイッチＳＷ１がＯＮしているか否かの判定を行い、ＯＮしている場合は、測光（ＡＥ）／測距（ＡＦ）のためにステップ３５へ移行し、ＯＦＦの場合は、電源をＯＦＦするかどうかの判定のためにステップ３２へ移行する。
【００６６】
ここで、スイッチＳＷ１がＯＦＦであるので、電源をＯＦＦするかどうかの判定のためにステップ３２へ移行するものとする。
［ステップ３２］  電源をＯＦＦするかどうかの判定を行い、ＯＦＦしない場合はステップ３１のスイッチＳＷ１のチェックに戻る。つまり、何らかの要因でカメラの電源が立ち上がった場合には一定時間、電源を起こしておくことにより、各種スイッチの状態のチェックや表示の切り替えを行う。また、電源をＯＦＦする場合は以下のステップ３３へ移行する。
［ステップ３３］  カメラのファインダ内や外部の不必要な部分の表示を液晶表示回路３により消灯し、電源をＯＦＦする。
【００６７】
上記ステップ３１にてスイッチＳＷ１がＯＮしている事を判定した場合には、前述した様にステップ３５へ移行する。
［ステップ３５］  測光回路７により被写体の測光情報を求め、得られる測光情報をマイクロコンピュータ１は入力すると共にＡ／Ｄ変換し、露出条件（ＡＶ値，ＴＶ値）の演算／設定を行う。
［ステップ３６］  焦点検出回路６を用いてラインセンサの蓄積を開始すると共にその読み出しを行い、そのセンサ出力のＡ／Ｄ値を基に既存のアルゴリズムにて焦点検出演算を行い、レンズ駆動量を算出した後に、合焦するようにレンズ制御回路２に前記レンズ駆動量を通信し、レンズを駆動し合焦させる。
【００６８】
また、内蔵補助光が必要な場合は、前記焦点検出回路６を介してラインセンサの蓄積を開始する直前に、内蔵補助光駆動回路１５により内蔵補助光を点灯させ、蓄積後に内蔵補助光を消灯させ、読み出し演算を行うことになる。
［ステップ３７］  上記ステップ３５で演算／設定されたＡＶ値，ＴＶ値を液晶表示回路３によりファインダ内液晶表示器１２と外部液晶表示器１１に表示する。また、上記ステップ３６での焦点調節結果が合焦ならば、合焦表示も行う。
［ステップ３８］  ここでは、カメラの状態がレリーズを許可して良い状態か否かの判定を判定する。例えば、ＡＦモードが「ワンショットモード」である場合は、上記ステップ３６での焦点調節結果が合焦ならばレリーズは許可され、スイッチＳＷ２のチェックを行う為にステップ３９へ移行し、合焦でない場合は、スイッチＳＷ１のチェックの為にステップ３１に戻り、ここでスイッチＳＷ１がＯＮの場合は再びＡＥ，ＡＦ，表示を繰り返す。
［ステップ３９］  スイッチＳＷ２がＯＮされているか否かの判定、つまりステップ４０以降のレリーズ動作に進むか否かの判定を行う。この結果、スイッチＳＷ２がＯＦＦの場合は、該スイッチＳＷ１のチェックの為にステップ３１に戻る。ここで、スイッチＳＷ１がＯＮの場合は再びＡＥ，ＡＦ，表示を繰り返す。
【００６９】
また、上記ステップ３９にてスイッチＳＷ２がＯＮであった事を判定した場合は、レリーズ動作を行う為にステップ４０に移行する。
［ステップ４０］  モータ制御回路９によりミラーをアップすると共に、上記ステップ３５で決められたＡＶ量をレンズ制御回路２によりレンズ１３に通信し、設定露光量が得られる様に絞り込み動作を行う。
［ステップ４１］  シャッタ制御回路８により上記ステップ３５で決められたＴＶ量が得られる様に、不図示のシャッタ先幕及び後幕の走行制御を行う。
［ステップ４２］  ここではモータ制御回路９により、ミラーをダウンすると同時にシャッタのチャージを行い、又ステップ４０にて絞り込まれていた絞りを開放に戻す。
［ステップ４３］  モータ制御回路９によりフィルムの巻上げを行う。
【００７０】
以上により、カメラの一連の動作が終了する。
【００７１】
次に、上記ステップ３６でのＡＦ動作の詳細について、図４のフローチャートを用いて説明する。
［ステップ５１］  前回行った焦点検出結果により、今回の焦点検出では補助光が必要であると判定されたか否かを確認する。ここで、今回の焦点検出に補助光が必要であると判定した場合は、蓄積開始前に補助光を点灯するためにステップ５２へ移行する。
［ステップ５２］  内蔵補助光駆動回路１５により内蔵補助光を点灯させる（詳細は後述する）。その後、ステップ５３へ進む。
【００７２】
また、上記ステップ５１にて補助光が必要ないと判定した場合は、補助光点灯を行うステップ５２を飛ばし、ステップ５３へ直ちに移行する。
［ステップ５３］  焦点検出回路６を用いてラインセンサの蓄積を開始すると共にその読み出しを行い、そのセンサ出力のＡ／Ｄ変換を行う。
［ステップ５４］  上記ステップ５２で内蔵補助光を点灯させた場合は、内蔵補助光駆動回路１５により内蔵補助光を消灯させる。
［ステップ５５］  上記ステップ５３のＡ／Ｄ値を基に、既存のアルゴリズムで焦点検出情報を演算し、その値とレンズ制御回路２を通して得られる現在装着されているレンズ１３のレンズ特性値により、レンズ駆動量を算出する。
［ステップ５６］  上記ステップ５５で求められたレンズ駆動量が演算出来た場合は、レンズ制御回路２を通してレンズ１３に通信し、距離環を駆動する。また、大ボケ状態であり、上記ステップ５５によりレンズ駆動量が演算出来なかった場合は、レンズを駆動せずにこの動作を終了する。つまり、図３のステップ３８へリターンする。
【００７３】
最後に、この実施の第１の形態における特徴部分である、補助光発光に関する上記ステップ５２での動作の詳細について、図１のフローチャートを用いて説明する。
［ステップ２１］  焦点検出点選択スイッチＳＷ４と電子ダイヤル１０、または、視線検出手段（視線検出回路１６，ＣＣＤ１７及びＩＲＥＤ１８にて構成される）により焦点検出点を選択する任意選択時であるか自動選択時であるかの判定を行う。この結果、自動選択が設定されている場合は全てのＡＦ補助光ランプを点灯させるためにステップ２２へ移行する。
［ステップ２２］  内蔵補助光制御回路１５に命令し、図５に示した、左の焦点検出点６３を照明する補助光用ランプ６０と、中央の焦点検出点６４を照明する補助光用ランプ６１と、右の焦点検出点６５を照明する補助光用ランプ６２の、それぞれを点灯させる。
【００７４】
また、上記ステップ２１にて任意選択されている場合は、対応したＡＦ補助光を点灯させるためにステップ２３へ移行する。
［ステップ２３］  焦点検出点選択スイッチＳＷ４と電子ダイアル１０、または、視線検出手段により中央の焦点検出点６４が任意選択されているかどうかの判定を行い、該中央の焦点検出点６４が選択されている場合は、中央の補助光用ランプ６１を点灯させるためにステップ２４へ移行する。
［ステップ２４］  内蔵補助光制御回路１５に命令し、中央の焦点検出点６４を照明する補助光用ランプ６１を点灯させる。
【００７５】
また、上記ステップ２３にて中央焦点検出点６４以外が任意選択されている場合は、ステップ２５へ移行する。
［ステップ２５］  ここでは焦点検出点選択スイッチＳＷ４と電子ダイアル１０、または、視線検出手段により右の焦点検出点６５が任意選択されているかどうかの判定を行い、該右の焦点検出点６５が選択されている場合は、右の補助光用ランプ６２を点灯させるためにステップ２６へ移行する。
［ステップ２６］  内蔵補助光制御回路１５に命令し、右の焦点検出点６５を照明する補助光用ランプ６２を点灯させる。
【００７６】
また、上記ステップ２５にて右の焦点検出点６５以外が任意選択されている場合は、左の補助光用ランプ６０を点灯させるためにステップ２７へ移行する。
［ステップ２７］  内蔵補助光制御回路１５に命令し、左の焦点検出点６３を照明する補助光用ランプ６０を点灯させる。
【００７７】
以上の様に、任意選択ＡＦ時は、選択される焦点検出点に対応するＡＦ補助光を点灯させるようにしている為、無駄な補助光を発光させる事のない、つまり省エネルギータイプの装置とすることが出来る。
【００７８】
また、上記の様に焦点検出点とＡＦ補助光を完全に対応させる事は、暗くてファインダスクリーン上の焦点検出視野マークが見えない場合でも、補助光の点灯箇所により、どの焦点検出点で焦点検出が行われたかを撮影者に認識させることが出来る効果をもたらす。この事は、ファインダ内にＡＦ焦点検出点選択に関する専用表示の無いカメラにおいて、焦点検出点の選択が自動選択モードに設定されているのか任意選択モードに設定されているかの判断も、ファインダを覗いたままで撮影者に可能とさせるものである。
【００７９】
（実施の第２の形態）
上記の実施の第１の形態では、焦点検出点の数と同数のＡＦ補助光用ランプを有する場合について説明したが、この実施の第２の形態においては、ＡＦ補助光用ランプの数が焦点検出点の数より少ない場合について説明する。
【００８０】
まず、図８の概念図により、この実施の形態で用いるＡＦ補助光について説明する。
【００８１】
焦点検出点としては、３点、つまり左の焦点検出点８２，中央の焦点検出点８３，右の焦点検出点８４を有しており、これらの焦点検出点の照明用としてＡＦ補助光用ランプ８０，８１が備わっていて、ここで発せられた補助光はレンズ８５により各焦点検出点に対応した部分に結像される。
【００８２】
そして、この図８は、焦点検出点の選択が自動選択もしくは任意選択にて中央が選択された場合の、補助光点灯状態を示す図である。つまり、この場合は全ての焦点検出点８２〜８４を照明する為にＡＦ補助光用ランプ８０，８１のそれぞれが点灯状態となっている。
【００８３】
また、図９（ａ）は、左の焦点検出点８２（中央の焦点検出点８３を含む）が任意選択され、よって左の補助光用ランプ８０が点灯している状態を、図９（ｂ）は、右の焦点検出点８３（この場合も、中央の焦点検出点８３を含む）が任意選択され、よって右の補助光用ランプ８１が点灯している状態を、それぞれ示している。
【００８４】
次に、本発明の実施の第２の形態における特徴部分である、補助光発光に関する動作の詳細について、図７のフローチャートを用いて説明する。尚、カメラの回路構成やその他の動作は上記実施の第１の形態と同様であるので、ここではその説明は省略する。
［ステップ７１］  焦点検出点選択スイッチＳＷ４と電子ダイヤル１０、または、視線検出手段により焦点検出点を選択する任意選択時であるか自動選択時であるかの判定を行う。この結果、自動選択が設定されている場合は全てのＡＦ補助光ランプを点灯させるためにステップ７２へ移行する。
［ステップ７２］  内蔵補助光制御回路１５に命令し、図８に示した様に、補助光用ランプ８０と８１を点灯させ、全ての焦点検出点８２〜８４を照明する。
【００８５】
また、上記ステップ７１にて任意選択されている場合は、対応したＡＦ補助光を点灯させるためにステップ７３へ移行する。
［ステップ７３］  焦点検出点選択スイッチＳＷ４と電子ダイアル１０、または、視線検出手段により中央の焦点検出点８３が任意選択されているかどうかの判定を行い、該中央の焦点検出点８３が選択されている場合は、全ての補助光用ランプ８０，８１を点灯させるためにステップ７４へ移行する。
［ステップ７４］  上記ステップ７２と同様、内蔵補助光制御回路１５に命令し、補助光用ランプ８０と８１を点灯させる。これにより、図８の様に全ての焦点検出点８２〜８４が照明されることになる。
【００８６】
また、上記ステップ７３にて中央の焦点検出点８３以外が任意選択されている場合は、ステップ７５へ移行する。
［ステップ７５］  ここでは焦点検出点選択スイッチＳＷ４と電子ダイアル１０、または、視線検出手段により右の焦点検出点８４が任意選択されているかどうかの判定を行い、該右の焦点検出点８４が選択されている場合は、右及び中央用の補助光用ランプ８１を点灯させるためにステップ７６へ移行する。
［ステップ７６］  内蔵補助光制御回路１５に命令し、補助光用ランプ８１を点灯させる。これにより、図９（ｂ）の様に中央と右の焦点検出点８３，８４が照明されることになる。
【００８７】
また、上記ステップ７５にて右の焦点検出点８４以外が任意選択されている場合は、左の補助光用ランプ８０を点灯させるためにステップ７７へ移行する。
［ステップ７７］  内蔵補助光制御回路１５に命令し、補助光用ランプ８０を点灯させる。これにより、図９（ａ）の様に左と中央の焦点検出点８２，８３が照明されることになる。
【００８８】
以上の様に、この実施の第２の形態においても、任意選択ＡＦ時は、選択される焦点検出点に対応するＡＦ補助光を点灯させるようにしている為、無駄な補助光を発光させる事のない、つまり省エネルギータイプの装置とすることが出来る。
【００８９】
また、上記の様に焦点検出点とＡＦ補助光を完全に対応させる事は、暗くてファインダスクリーン上の焦点検出視野マークが見えない場合でも、補助光の点灯箇所により、どの焦点検出点で焦点検出が行われたかを撮影者に認識させることが出来る効果をもたらす。この事は、ファインダ内にＡＦ焦点検出点選択に関する専用表示の無いカメラにおいて、焦点検出点の選択が自動選択モードに設定されているのか任意選択モードに設定されているかの判断も、ファインダを覗いたままで撮影者に可能とさせるものである。
【００９０】
（実施の第３の形態）
以上の実施の各形態では、何れも補助光用ランプがカメラの１箇所に集中して配置されていたのに対し、この実施の第３の形態においては、レンズの左右２箇所に補助光用ランプを配置した場合を想定したものである。
【００９１】
まず、図１１の概念図により、この実施の形態で用いるＡＦ補助光について説明する。
【００９２】
焦点検出点としては、３点、つまり左の焦点検出点９５，中央の焦点検出点９４，右の焦点検出点９３を有しており、これらの焦点検出点の照明用としてＡＦ補助光用ランプ９１，９２が図示の様にレンズ９０の左右に分けてそれぞれ配置されている。
【００９３】
そして、この図１０は、焦点検出点の選択が自動選択もしくは任意選択にて中央が選択された場合の、補助光点灯状態を示す図である。つまり、この場合は全ての焦点検出点９３〜９５を照明する為にＡＦ補助光用ランプ９１，９２のそれぞれが点灯状態となっている。
【００９４】
また、図１１（ａ）は、左の焦点検出点９５（中央の焦点検出点９４を含む）が任意選択され、よって左の補助光用ランプ９１が点灯している状態を、図１１（ｂ）は、右の焦点検出点９３（この場合も、中央の焦点検出点９４を含む）が任意選択され、よって右の補助光用ランプ９２が点灯している状態を、それぞれ示している。
【００９５】
この実施の第３の形態における補助光発光に関する動作の詳細は、上記実施の第２の形態における図７のフローチャートと同様であるので、その詳細は省略する。
【００９６】
更にカメラの回路構成やその他の部分の動作は上記実施の第１の形態と同様であるので、ここではその説明は省略する。
【００９７】
以上の様に、補助光用ランプをレンズ９０の左右に振り分けて配置した構造にしている為、カメラに内蔵の補助光用ランプより照明された光が、レンズ鏡筒やレンズフードでけられることが一切無くなる。
【００９８】
また、上記の様に焦点検出点とＡＦ補助光を完全に対応させる事は、暗くてファインダスクリーン上の焦点検出視野マークが見えない場合でも、補助光の点灯箇所により、どの焦点検出点で焦点検出が行われたかを撮影者に認識させることが出来る効果をもたらす。この事は、ファインダ内にＡＦ焦点検出点選択に関する専用表示の無いカメラにおいて、焦点検出点の選択が自動選択モードに設定されているのか任意選択モードに設定されているかの判断も、ファインダを覗いたままで撮影者に可能とさせるものである。
【００９９】
（実施の第４の形態）
この実施の第４の形態においては、任意の焦点検出点を選択した際に、この焦点検出点に対応したＡＦ補助光では焦点検出が不能であった処理を可能にする構成にしたものを想定している。
【０１００】
図１２は本発明の実施の第４の形態に係る主要部分の動作を示すフローチャートであり、これは上記実施の第１の形態における図１に対応するもので、以下これに従って説明する。尚、カメラの回路構成やその他の動作は上記実施の第１の形態と同様であるので、ここではその説明は省略する。
［ステップ１０１］  焦点検出点選択スイッチＳＷ４と電子ダイヤル１０、または、視線検出手段により焦点検出点を選択する任意選択時であるか自動選択時であるかの判定を行う。この結果、自動選択が設定されている場合は全てのＡＦ補助光ランプを点灯させるためにステップ１０２へ移行する。
［ステップ１０２］  内蔵補助光制御回路１５に命令し、図５に示した、左の焦点検出点６３を照明する補助光用ランプ６０と、中央の焦点検出点６４を照明する補助光用ランプ６１と、右の焦点検出点６５を照明する補助光用ランプ６２の、それぞれを点灯させる。
【０１０１】
また、上記ステップ１０１にて任意選択されている場合は、ステップ１０３へ移行する。
［ステップ１０３］  ここで、前回の焦点検出点対応の補助光用ランプのみでは焦点検出が不能であったかどうかの判定を行い、焦点検出不能であった場合は、全ての補助光用ランプを点灯するためにステップ１０４へ移行する。
［ステップ１０４］  内蔵補助光制御回路１５に命令し、上記ステップ１０２と同様、左の焦点検出点６３を照明する補助光用ランプ６０と、中央の焦点検出点６４を照明する補助光用ランプ６１と、右の焦点検出点６５を照明する補助光用ランプ６２の、それぞれを点灯させる。
【０１０２】
また、上記ステップ１０３にて前回の焦点検出点対応の補助光用ランプのみで焦点検出ができた事を判定した場合は、対応したＡＦ補助光を点灯させるためにステップ１０５へ移行する。
［ステップ１０５］  焦点検出点選択スイッチＳＷ４と電子ダイアル１０、または、視線検出手段により中央の焦点検出点６４が任意選択されているかどうかの判定を行い、該中央の焦点検出点６４が選択されている場合は、中央の補助光用ランプ６１を点灯させるためにステップ１０６へ移行する。
［ステップ１０６］  内蔵補助光制御回路１５に命令し、中央の焦点検出点６４を照明する補助光用ランプ６１を点灯させる。
【０１０３】
また、上記ステップ１０５にて中央焦点検出点６４以外が任意選択されている場合は、ステップ１０７へ移行する。
［ステップ１０７］  ここでは焦点検出点選択スイッチＳＷ４と電子ダイアル１０、または、視線検出手段により右の焦点検出点６５が任意選択されているかどうかの判定を行い、該右の焦点検出点６５が選択されている場合は、右の補助光用ランプ６２を点灯させるためにステップ１０８へ移行する。
［ステップ１０８］  内蔵補助光制御回路１５に命令し、右の焦点検出点６５を照明する補助光用ランプ６２を点灯させる。
【０１０４】
また、上記ステップ１０７にて右の焦点検出点６５以外が任意選択されている場合は、左の補助光用ランプ６０を点灯させるためにステップ１０９へ移行する。
［ステップ１０９］  内蔵補助光制御回路１５に命令し、左の焦点検出点６３を照明する補助光用ランプ６０を点灯させる。
【０１０５】
以上の様に、前回の焦点検出点対応の補助光用ランプのみでは焦点検出が不能であった場合には、全ての補助光用ランプを点灯させるようにしている為、ＡＦ補助光の光量増加により焦点検出不能であったものが、焦点検出可能になる機会が増え、より優れた装置とすることができる。
【０１０６】
（実施の第５の形態）
この実施の第５の形態においては、各焦点検出点対応のＡＦ補助光を点灯している際は、対応ＡＦセンサのみを蓄積し、逐次的に全焦点検出点の焦点検出を行う処理を可能にした構成のものを想定している。
【０１０７】
図１３は本発明の実施の第５の形態に係る主要部分の動作を示すフローチャートであり、これは上記実施の第１の形態における図１のステップ５１からステップ５４までの動作に対応するもので、以下これに従って説明する。尚、カメラの回路構成やその他の動作は上記実施の第１の形態と同様であるので、ここではその説明は省略する。
［ステップ２０１］  前回行った焦点検出結果により、今回の焦点検出では補助光が必要であるか否かの判定を行う。ここで、今回の焦点検出に補助光が必要であると判定した場合は、蓄積開始前に補助光を点灯させるためにステップ２０２へ移行する。
［ステップ２０２］  内蔵補助光制御回路１５に命令し、中央の焦点検出点６４用の補助光用ランプ６１を点灯させる。
［ステップ２０３］  焦点検出回路６を用いて中央の焦点検出点６４に対応するラインセンサへの蓄積を開始すると共にこの読み出しを行い、そのセンサ出力のＡ／Ｄ値を得る。
［ステップ２０４］  内蔵補助光制御回路１５に命令し、中央の焦点検出点６４用の上記補助光用ランプ６１を消灯させる。
［ステップ２０５］  内蔵補助光制御回路１５に命令し、左の焦点検出点６３用の補助光用ランプ６０を点灯させる。
［ステップ２０６］  焦点検出回路６を用いて左の焦点検出点６３に対応するラインセンサへの蓄積を開始すると共にこの読み出しを行い、そのセンサ出力のＡ／Ｄ値を得る。
［ステップ２０７］  内蔵補助光制御回路１５に命令し、左の焦点検出点６３用の上記補助光用ランプ６０を消灯させる。
［ステップ２０８］  内蔵補助光制御回路１５に命令し、右の焦点検出点６５用の補助光用ランプ６２を点灯させる。
［ステップ２０９］  焦点検出回路６を用いて右の焦点検出点６５に対応するラインセンサへの蓄積を開始すると共にこの読み出しを行い、そのセンサ出力のＡ／Ｄ値を得る。
［ステップ２１０］  内蔵補助光制御回路１５に命令し、右の焦点検出点６５用の上記補助光用ランプ６２を消灯させる。
【０１０８】
また、上記ステップ２０１にて補助光は不要である事を判定した場合は、補助光点灯を飛ばし、ステップ２１１へ移行する。
［ステップ２１１］  焦点検出回路６を用いて各焦点検出点それぞれに対応するラインセンサへの蓄積を開始すると共にその読み出しを行い、そのセンサ出力のＡ／Ｄ値を得る。
【０１０９】
上記ステップ２１０又はステップ２１１での動作を終了した後は、図４のステップ５５へ進み、上記のＡ／Ｄ値を基に、既存のアルゴリズムで焦点検出情報を演算し、その値とレンズ制御回路２を通して得られる現在装着されているレンズ１３のレンズ特性値により、レンズ駆動量を算出することになる。
【０１１０】
以上の様に、各焦点検出点対応のＡＦ補助光を点灯している際は、対応ＡＦセンサのみを蓄積し、逐次的に全焦点検出点の焦点検出を行うようにしている為、図５のように、各補助光のパターンが異なる場合に、隣の補助光パターンが本来のパターンを壊し、焦点検出能力を低下させるといった事を防ぐことができる。特に、自動選択時に補助光を全点灯した場合に効果がある。
【０１１１】
上記の実施の第１〜第５の形態によれば、任意選択ＡＦ時には、焦点検出点に対応するＡＦ補助光を点灯させるようにしている為、無駄のない補助光発光を行う事が可能となる。
【０１１２】
また、焦点検出点とＡＦ補助光を対応させる事は、暗くてファインダスクリーン上の焦点検出視野マークが見えない場合でも、補助光の点灯箇所により、どの焦点検出点で焦点検出が行われたかを撮影者に認識させることが出来る効果をもたらす。この事は、ファインダ内にＡＦ焦点検出点選択に関する専用表示の無いカメラにおいて、焦点検出点の選択が自動選択モードに設定されているのか任意選択モードに設定されているかの判断も、ファインダを覗いたままで撮影者に可能とさせるものである。
【０１１３】
さらに、複数配置される補助光用ランプを、レンズを中心にして左右に振り分けて配置した構成にしている為、ＡＦ補助光がレンズ鏡筒やレンズフードでけられるといった事を無くすことができる。
【０１１４】
以上は従来の第１の課題（不必要にＡＦ補助光が発光される等）に対する実施の形態であったが、以下に、従来例で述べた第２の課題（現在のモードがマニュアルフォーカスモードであるか否かの判断を容易にできない）に対する実施の形態について述べる。
【０１１５】
（実施の第６の形態）
オートフォーカスカメラが世の中に出回り始めた頃は焦点検出点が１点だけしかないのが一般的であった。焦点検出点が１点だけの場合は、画面内の中央が焦点検出点であるものが通常である。したがって、ファインダ内の焦点検出点表示も視野内の中央のみ目印マークが存在するだけで良かった。
【０１１６】
しかしながら近年になってオートフォーカスカメラは、特に一眼レフカメラにおいて焦点検出点が複数あるものが主流となりつつある。このようなカメラではファインダ内に焦点検出点に対応した数だけ目印マークが必要である。
【０１１７】
焦点検出点が複数になると、カメラの仕様として焦点検出点選択方法に場合分けが存在してくる。まず、焦点検出点をユーザーが自由に選択できる「焦点検出点任意選択」とカメラがあるアルゴリズムに基づいて自動的に焦点検出点を選択してくれる「焦点検出点自動選択」とに大きく分けられる。
【０１１８】
また同時に、焦点検出点表示の果たす役割にも場合分けが存在してくる。まず「焦点検出可能な位置を示す」役割と次に「焦点検出の結果、合焦した点を示す」役割である。
【０１１９】
これらを実現するためにファインダ内に焦点検出点をスーパーインポーズで表示する方式が提案されている。
【０１２０】
ここではその詳細な方式は省くが、ファインダ内光路中に透過型液晶を配置する方式や、ピント面近傍の表示パターンをファインダ光路外から照明する方式などが考案されている。
【０１２１】
この実施の第６の形態では、ファインダ画面内にはピント板上に焦点検出可能位置を示す目印マークを設け、現在の焦点検出点位置もしくは合焦点位置をファインダ画面外の位置でファインダ内液晶表示器で行うものに関する。また、ここではファインダの中央点を含む３点を焦点検出可能なカメラにおいて説明する。さらに、焦点検出点選択モードはカメラが自動的に最適な焦点検出点を選択する「焦点検出点自動選択」のモードで説明する。
【０１２２】
また、本実施の形態のカメラにおけるオートフォーカスモードとマニュアルフォーカスモードの切り換えは、図１８に示した従来例のカメラと同じく、レンズに設けられた切換えスイッチで行うものであり、両モードの切り換えと同時に、機械的にもレンズ駆動用アクチュエータと被駆動部であるフォーカシングリング部との連結を寸断してしまうものとする。
【０１２３】
図１４は本発明の実施の第６の形態に係るカメラのファインダ内を示す図である。尚、該カメラの構成は図１８と同様であるので、ここではその図示や構成部品の説明は省略する。
り、同図において、３０１はファインダ画面、３０２は部分測光範囲を示す表示図１４において、３０３，３０４，３０５は焦点検出可能な点の位置を示すマークである。３０７はファインダ内液晶表示器であり、バックライトが点灯したときだけ視認できる構成のものである。
【０１２４】
図１５〜図１７は、本発明の実施の第６の形態におけるカメラの外部液晶表示器とファインダ内液晶表示器とを示している。
【０１２５】
図１５において、３０６は外部液晶表示器であり、３０７はファインダ内液晶表示器であり、図１５（ａ）はカメラの電源をＯＮして、撮影モードをＴＶ優先モードに、又フォーカスモードはオートフォーカスモードにセットしている状態である。この状態では、ファインダ内液晶表示器３０７はバックライトが消灯しているため見えない。
【０１２６】
３０８はシャッタ秒時の設定値を示す７セグメント表示部で、ここでは「１／１２５」秒にセットされている。３０９は電池の残量表示部で、ここでは充分な電池能力があることが示されている。３１０はフィルム在否表示部で、ここではフィルムが装填されていることを示している。３１１はフィルムカウンタ表示部で、ここでは１枚目であることを示している。３１２は露出補正表示部で、ここでは露出補正をかけていない事を示している。
【０１２７】
３１３，３１４，３１５はファインダ内の３点の焦点検出点を意味する３個のドットで成る焦点検出点表示部である。３１６，３１７はこれらドット３点の左右に位置する括弧状の枠表示で成るフォーカスモード表示部である。ここではオートフォーカスモードに設定されているため、括弧状のフォーカスモード表示部３１６，３１７が点灯している。
【０１２８】
図１５（ｂ）はレリーズ釦３３２（図１８参照）を第１ストロークまで押した状態であり、よって、カメラは測光を開始しかつ合焦動作を開始する事になるが、外部液晶表示器３０６においてはその測光結果が表示される。３１８は測光結果による適正絞り値を示す７セグメント表示部であり、ここでは「 5.6」を示している。またこの時、ファインダ内液晶表示器３０７のバックライトが点灯し、初めてファインダ内液晶表示を目視可能となる。
【０１２９】
３１９はシャッタ秒時の設定値を示す７セグメント表示部、３２０は測光結果による適正絞り値を示す７セグメント表示部で、それぞれ外部液晶表示器３０６と同じく、「１２５」と「 5.6」を表示している。３２１，３２２，３２３はファインダ内の３点の焦点検出点を意味する３個のドットで成る焦点検出点表示部である。
【０１３０】
３２４，３２５はこれらドット３点の左右に位置する括弧状の枠表示で成るフォーカスモード表示部である。ここではオートフォーカスモードに設定されているため、外部液晶表示器３０６での表示と同様、括弧状の枠表示であるフォーカスモード表示部３２４，３２５が点灯している。３２６は露出補正表示部で、これも外部液晶表示器３０６と同じく露出補正をかけていない事を示している。
【０１３１】
図１５（ｃ）はレリーズ釦３３２を第１ストロークまで押した状態を保持した結果、合焦に至った状態である。
【０１３２】
外部液晶表示器３０６において、左右の焦点検出点を示す焦点検出点表示部３１３，３１５が消灯し、中央焦点検出点を示す焦点検出点表示部３１４だけが点灯して３点の焦点検出点のうち中央点に合焦したことを示している。
【０１３３】
ファインダ内液晶表示器３０７においても、左右の焦点検出点を示す焦点検出点表示部３２１，３２３が消灯し、中央焦点検出点を示す焦点検出点表示部３２２だけが点灯して、３点の焦点検出点のうち中央点に合焦したことを示している。
【０１３４】
但し、このとき合焦に至ったことを、合焦マーク３２７が点灯することで示している。
【０１３５】
以上の外部液晶表示器３０６とファインダ内液晶表示器３０７は、不図示の液晶駆動回路で駆動されており、かつ、外部液晶表示器３０６とファインダ内液晶表示器３０７中での共通表示については、まったく同一のセグメントラインとコモンラインとで駆動されている。
【０１３６】
次に、前述の切換えスイッチ３２８により、フォーカースモードとして、マニュアルフォーカスモードがセットされたときの表示について説明する。
【０１３７】
図１６（ａ）はカメラの電源をＯＮして、撮影モードをＴＶ優先モードに、またフォーカスモードはマニュアルフォーカスモードにセットしている状態である。この状態ではファインダ内液晶表示器３０７はバックライトが消灯しているため、見えない。
【０１３８】
外部液晶表示器３０６において、３０８はシャッタ秒時の設定値を示す７セグメント表示部、３０９は電池の残量表示部、３１０はフィルム在否表示部、３１１はフィルムカウンタ表示部、１２は露出補正表示部である。３１３，３１４，３１５は３点の焦点検出点を意味する３個のドットで成る焦点検出点表示部である。
【０１３９】
ここでは、マニュアルフォーカスモードであることを示すため、図１５（ａ）で表示されていた３点の焦点検出点表示部３１３，３１４，３１５の左右に位置する括弧状の枠表示で成るフォーカスモード表示部３１３，３１７は消灯している。
【０１４０】
図１６（ｂ）はレリーズ釦３３２を第１ストロークまで押した状態であり、よって、カメラは測光を開始しかつ合焦動作を開始する事になるが、外部液晶表示器３０６においては測光結果が表示される。３１８は測光結果による適正絞り値を示す７セグメント部で、ここでは「 5.6」を示している。またこのとき、ファインダ内液晶表示器３０７のバックライトが点灯し、初めてファインダ内液晶表示器３０７を目視可能となる。
【０１４１】
３１９はシャッタ秒時の設定値を示す７セグメント表示部、３２０は適正絞り値を示す７セグメント表示部で、それぞれ外部液晶表示器３０６と同じく、「１２５」と「 5.6」を表示している。３２６は露出補正表示部で、これも外部液晶表示器３０６と同じく露出補正をかけていない事を示している。
【０１４２】
３２１，３２２，３２３は３点の焦点検出点を意味する３個のドットで成る焦点検出点表示である。ここではマニュアルフォーカスモードであることを示すため、図１５（ｂ）で表示されていた３点の焦点検出点表示部３２１，３２２，３２３の左右に位置する括弧状の枠表示で成るフォーカスモード表示部３２４，３２５は消灯している。
【０１４３】
この際、このままレリーズ釦３３２を第１ストロークまで押した状態を保持しても、レンズが合焦動作を開始しないので合焦には至らない。従って、ファインダ内液晶表示器３０７の合焦マーク２７が点灯することはない。
【０１４４】
外部液晶表示器３０６及びファインダ内液晶表示器３０７のフォーカスモード表示部３１６、３１７及び３２４，３２５は、本来（オートフォーカスモード）ならば、図１５の場合の様に、焦点検出点表示部３１３，３１４．３１５及び３２１、３２２、３２３のごく近傍にあるため、焦点検出点選択モードの確認や焦点検出点位置確認などの時に必ず認識される配置である。
【０１４５】
よって、ユーザーがマニュアルフォーカスモードになっている事に気づかずにそのままカメラを構えて撮影動作に入っても、レンズが合焦動作を開始せず、かつ、外部液晶表示器３０６が通常のオートフォーカスモード使用時とは異なる表示形態であるため、マニュアルフォーカスモードにセットされていることを容易に知ることができる。
【０１４６】
例えカメラを構えていきなりファインダを覗いてしまったとしても、レンズが合焦動作を開始せず、かつ、ファインダ内液晶表示器３０７も同様に通常のオートフォーカスモード使用時とは異なる表示形態であるため、マニュアルフォーカスモードにセットされてしまっていることを、容易に知ることができる。
【０１４７】
（実施の第７の形態）
図１７は本発明の実施の第７の形態に係るカメラの外部液晶表示器３０６とファインダ内液晶表示器３０７について説明する為の図である。
【０１４８】
フォーカスモードが前述の切換えスイッチ３２８によりオートフォーカスモードにセットされている場合は、上記実施の第６の形態と同様であるため、ここでは前述の切換えスイッチ３２８によりマニュアルフォーカスモードにセットされたときの表示のみについて説明する。
【０１４９】
図１７（ａ）はカメラの電源をＯＮして、撮影モードをＴＶ優先モードに、またフォーカスモードはマニュアルフォーカスモードにセットしている状態である。この状態ではファインダ内液晶表示器３０７はバックライトが消灯しているため、見えない。
【０１５０】
３０８はシャッタ秒時の設定値を示す７セグメント表示部、３０９は電池の残量表示部、３１０はフィルム在否表示部、３１１はフィルムカウンタ表示部、３１２は露出補正表示部である。
【０１５１】
３１３，３１４，３１５は３点の焦点検出点を意味する３個のドットで成る焦点検出点表示である。ここではマニュアルフォーカスモードであることを示すため、図１５（ａ）で表示されていた３点の焦点検出点表示部３１３，３１４，３１５の左右に位置する括弧状の枠表示で成るフォーカスモード表示部３１６，３１７は消灯している。
【０１５２】
図１７（ｂ）はレリーズ釦３３２を第１ストロークまで押した状態であり、カメラは測光を開始しかつ合焦動作を開始する。
【０１５３】
外部液晶表示器３０６においては、測光結果が表示される。３１８は測光結果による適正絞り値を示す７セグメント部で、ここでは「 5.6」を示している。同時に消灯していたフォーカスモード表示部３１６，３１７が点滅を始める。またこのとき、ファインダ内液晶表示器３０７のバックライトが点灯し、初めてファインダ内液晶表示器３０７を目視可能となる。
【０１５４】
３１９はシャッタ秒時の設定値を示す７セグメント表示部、２０は適正絞り値を示す７セグメント表示部で、それぞれ外部液晶表示器３０６と同じく「１２５」と「 5.6」を表示している。３２６は露出補正表示部で、これも外部液晶表示器３０６と同じく露出補正をかけていない事を示している。
【０１５５】
３２１，３２２，３２３は３点の焦点検出点を意味する３個のドットで成る焦点検出点表示である。ここでは外部液晶表示器３０６と同じくマニュアルフォーカスモードであることを示すため、フォーカスモード表示部３２４、３２５は点滅している。
【０１５６】
この状態はレリーズ釦３３２を第１ストロークまで押した状態を保持している間及びレリーズ釦３３２が戻っても所定タイマ中はフォーカスモード表示部３２４，３２５の点滅は保持されるが、所定タイマ後はまた図１７（ａ）の状態に戻る。但し、レリーズ釦３３２を第１ストロークまで押した状態を保持しても、レンズが合焦動作を開始しないので合焦に至ることはなく、合焦マーク２７が点灯することはない。
【０１５７】
以上の実施の第６及び第７の形態によれば、オートフォーカスモードとマニュアルフォーカスモードでその表示態様を異ならせる様にしている為、現在のモードがマニュアルフォーカスモードであるか否かをユーザは容易にすることができ、カメラが故障をしたと思ってしまったり、ピントボケの写真になってしまったりという事故を未然に防止することが可能となる。
【０１５８】
また、マニュアルフォーカスモードの表示を、焦点検出点表示部のごく近傍に配置し、焦点検出に関連する情報をひとまとめにしているので、ユーザーにとって認識し易く、また他の表示と混在していても認識し易い。
【０１５９】
さらに、フォーカスモード表示部と焦点検出点表示部は、他の撮影情報と兼用することのない焦点検出専用の表示部とし、かつ、外部液晶表示部３０６とファインダ内液晶表示部３０７のそれぞれに設けたため、常時確認し易いものとなる。
【０１６０】
更には、これらの焦点検出関連表示を行う外部液晶表示部３０６とファインダ内液晶表示部３０７は共に同一の液晶駆動回路により、同一の駆動セグメントで表示制御される構成である為、ＩＣのピンの節約とソフト処理の単純化を図れるものとなる。
【０１６１】
（変形例）
上記実施の第１〜第５の形態では、補助光源として、ランプを用いた例を示しているが、これに限定されるものではなく、ＬＥＤやストロボ等を光源としても良い。
【０１６２】
また、上記の実施の第１〜第７の形態においては、いずれも複数の焦点検出点を有するものを例にしていたが、複数の測距点を有するものであっても、同様に適用できるものである。
【０１６３】
また、上記の実施の第６及び第７の形態において、外部表示とファインダ内表示を行う表示器を何れも液晶表示器にて構成した例を示しているが、これに限定されるものではなく、ＬＥＤ等により構成したものであっても同様の効果を得ることができる。
【０１６４】
本発明は、一眼レフカメラに適用した例を述べているが、ビデオカメラや電子スチルカメラ等のカメラにも適用可能である。更に、焦点検出機能を具備したその他の光学機器や他の装置にも適用することができるものである。
【０１６５】
更に、本発明は、以上の実施の各形態、又はそれらの技術を適当に組み合わせた構成にしてもよい。
【０１６６】
【発明の効果】
以上説明したように、本発明によれば、補助光がレンズ鏡筒やレンズフードでけられてしまうといった事を無くすことが可能となる。
【図面の簡単な説明】
【図１】本発明の実施の第１の形態に係るカメラの主要部分の動作を示すフローチャートである。
【図２】本発明の実施の第１の形態に係るカメラの回路構成を示すブロック図である。
【図３】本発明の実施の第１の形態に係るカメラの一連の動作を示すフローチャートである。
【図４】図３のステップ３７での動作の詳細を示すフローチャートである。
【図５】本発明の実施の第１の形態に係るカメラの補助光用ランプと焦点検出点との関係を示す図である。
【図６】本発明の実施の第１の形態に係るカメラにおいて任意選択ＡＦ時での補助光用ランプと焦点検出点との関係を示す図である。
【図７】図４のステップ５２での詳細な動作を示すフローチャートである。
【図８】本発明の実施の第２の形態に係るカメラの補助光用ランプと焦点検出点との関係を示す図である。
【図９】本発明の実施の第２の形態に係るカメラにおいて任意選択ＡＦ時での補助光用ランプと焦点検出点との関係を示す図である。
【図１０】本発明の実施の第３の形態に係るカメラの補助光用ランプと焦点検出点との関係を示す図である。
【図１１】本発明の実施の第３の形態に係るカメラにおいて任意選択ＡＦ時での補助光用ランプと焦点検出点との関係を示す図である。
【図１２】本発明の実施の第４の形態に係るカメラの主要部分の動作を示すフローチャートである。
【図１３】本発明の実施の第５の形態に係るカメラの主要部分の動作を示すフローチャートである。
【図１４】本発明の実施の第６の形態に係るカメラのファインダ内を示す図である。
【図１５】本発明の実施の第６の形態に係るカメラにおいてオートフォーカスモードでの外部液晶表示器及びファインダ内液晶表示器における各状態時の表示形態を示す図である。
【図１６】本発明の実施の第６の形態に係るカメラにおいてマニュアルフォーカスモードでの外部液晶表示器及びファインダ内液晶表示器における各状態時の表示形態を示す図である。
【図１７】本発明の実施の第７の形態に係るカメラのマニュアルフォーカスモードとオートフォーカスモードでの外部液晶表示器及びファインダ内液晶表示器における各状態時の表示形態を示す図である。
【図１８】従来の一眼レフカメラの上面図である。
【図１９】図１８のカメラにおける外部液晶表示器における各状態時の表示形態を示す図である。
【符号の説明】
１              マイクロコンピュータ
５              ストロボ発光調光制御回路
１５            内蔵補助光駆動回路
１６            視線検出回路
１７            ＣＣＤ
１８            ＩＲＥＤ
６０〜６２      補助光用ランプ
６３〜６５      焦点検出点
８０，８１      補助光用ランプ
８２〜８４      焦点検出点
９０            レンズ
９１，９２      補助光用ランプ
９３〜９５      焦点検出点
３０６          外部液晶表示部
３０７          ファインダ内液晶表示部
３１３〜３１５  焦点検出点表示部
３１６，３１７  フォーカスモード表示部
【図１】
0003805025.tif 000002
【図２】
0003805025.tif 000003
【図３】
0003805025.tif 000004
【図４】
0003805025.tif 000005
【図５】
0003805025.tif 000006
【図６】
0003805025.tif 000007
【図７】
0003805025.tif 000008
【図８】
0003805025.tif 000009
【図９】
0003805025.tif 000010
【図１０】
0003805025.tif 000011
【図１１】
0003805025.tif 000012
【図１２】
0003805025.tif 000013
【図１３】
0003805025.tif 000014
【図１４】
0003805025.tif 000015
【図１５】
0003805025.tif 000016
【図１６】
0003805025.tif 000017
【図１７】
0003805025.tif 000018
【図１８】
0003805025.tif 000019
【図１９】
0003805025.tif 000020